(57)【要約】【課題】本発明は、蓋本体が揚圧によって万が一開蓋した場合でも、転落防止用梯子が倒伏状態を維持できる転落防止用梯子および転落防止用梯子を備えた地下構造物用蓋の受枠を提供することを目的とするものである。【解決手段】本発明は、梯子本体１１の基端側にロック部材２３を設け、このロック部材２３をコイルバネ２７の付勢力によって常時基部９を押圧するのに抗して梯子本体１１が先端側へ摺動し、受枠２の支持部６により支持される梯子本体１１の先端が支持部上方の上壁７に係合可能となる如き構成とする。【選択図】        図１
2004293185.tif 000002
【特許請求の範囲】
【請求項１】
受枠内周に形成される支持部に対して起伏可能に装着されると共に倒伏させた状態で、その先端が対向する支持部に支持される転落防止用梯子において、
前記受枠内周に装着される基部に連結枢支される梯子本体の基端側には、回動可能かつ摺動可能に枢支される長穴を設けるとともに、付勢部材によって常時基部を押圧するロック部材を設け、
梯子本体を倒伏させた状態で、ロック部材が基部を押圧するのに抗して梯子本体が先端側に押され、該梯子本体の先端が支持部上方の上壁に係合可能とした
ことを特徴とする転落防止用梯子。
【請求項２】
受枠内周に起伏可能に装着されると共に倒伏させた状態で、その先端が対向する支持部に支持される転落防止用梯子において、
前記受枠内周に装着される基部に水平に突出させた水平部を形成し、梯子本体の基端側には、付勢部材によって常時基部を押圧するロック部材を設け、
梯子本体を倒伏させた状態で、前記ロック部材が水平部に係合し、梯子本体の倒伏状態を保持可能とした
ことを特徴とする転落防止用梯子。
【請求項３】
前記基部に上方に立ち上がる垂直部を形成し、梯子本体を起立させた状態で、前記ロック部材が垂直部に係合し、梯子本体の起立状態を保持可能とした
ことを特徴とする請求項１記載の転落防止用梯子。
【請求項４】
前記基部に上方に立ち上がる垂直部を形成し、梯子本体を起立させた状態で、前記ロック部材が前記垂直部に係合し、梯子本体の起立状態を保持可能とした
ことを特徴とする請求項２記載の転落防止用梯子。
【請求項５】
前記ロック部材は、前記垂直部を収納可能とする空間部を有する
ことを特徴とする請求項３記載の転落防止用梯子。
【請求項６】
前記ロック部材は、前記垂直部を収納可能とする空間部を有する
ことを特徴とする請求項４記載の転落防止用梯子。
【請求項７】
前記ロック部材は、水平部を収納可能とする空間部を有する
ことを特徴とする請求項２、請求項４または請求項６記載の転落防止用梯子。
【請求項８】
受枠の内周面に形成した取付部に、請求項１、請求項２、請求項３、請求項４、請求項５、請求項６または請求項７記載の転落防止用梯子を装着したことを特徴とする転落防止用梯子を備えた地下構造物用蓋の受枠。
【発明の詳細な説明】
【０００１】
【発明の属する技術分野】
本発明は、地下構造物用蓋の受枠に対して起伏可能に装着される転落防止用梯子およびこの転落防止用梯子を備えた地下構造物用蓋の受枠に関する。なお、本願発明でいう「地下構造物用蓋」とは、下水道における地下埋設物、地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその附属機器と地上とを結ぶ開閉扉としての機能を有する消火栓蓋，制水弁蓋，仕切弁蓋，空気弁蓋，ガス配管用蓋，量水器蓋等を総称する。
【０００２】
【従来の技術】
従来より、この種の地下構造物用蓋の梯子として、例えば図１６に開示された発明がある。この補助梯子付マンホールは、受枠１０１の内周面に設けた一対の枢着片１０２に梯子１０３の基部を起伏可能に枢支し、梯子１０３の先端を受枠１０１の内周に形成した受片１０４で支持する構造とされており、倒伏状態では転落防止用蓋として使用し、起立させて固定することによって梯子として使用することができるようにしたものである（例えば、特許文献１参照。）。
【０００３】
【特許文献１】
実公昭６０−３３１６２号公報（第２頁〜第３頁、第１図）
【０００４】
【発明が解決しようとする課題】
しかしながら前記の発明にあっては、集中豪雨などによる一時的な降雨量の増大によってマンホール内に揚圧が発生した場合、蓋本体に設けた錠が受枠から外れて開蓋してしまうことがある。
【０００５】
一方、前記補助梯子は、倒伏させて先端を受枠内周面の受片に単に載置させて支持されているだけであるので、蓋本体が開蓋してしまうと受枠の枢着片に起伏可能に枢支させた梯子の基部を支点として蓋本体の開蓋と同時に起立状態となってしまい、通行者がマンホール内に転落するおそれがある。
【０００６】
本発明は、上記の点に鑑みて創案されたものであって、蓋本体が揚圧によって万が一開蓋した場合でも、転落防止用梯子が倒伏状態を維持できる転落防止用梯子および転落防止用梯子を備えた地下構造物用蓋の受枠を提供することを目的とするものである。
【０００７】
【課題を解決するための手段】
上記の目的を達成するために、本発明に係る転落防止用梯子は、受枠内周に起伏可能に装着されると共に倒伏させた状態で、その先端が対向する支持部によって支持される転落防止用梯子において、前記受枠内周に装着される基部に連結枢支される梯子本体の基端側には、回動可能かつ摺動可能に枢支される長穴を設けるとともに、付勢部材によって常時基部を押圧するロック部材を設け、梯子本体を倒伏させた状態で、ロック部材が基部を押圧するのに抗して梯子本体が先端側に押され、該梯子本体の先端が支持部上方の上壁に係合可能とした構成としている。
【０００８】
以上の構成において、梯子本体の基端側に設けたロック部材が付勢部材によって常時基部を押圧していることから、ロック部材を解除方向に把持したまま梯子本体を倒伏させ、ロック部材を放すことにより、ロック部材が基部を押圧するのに抗して梯子本体が先端側に長穴の長さだけ押され、梯子本体の先端が受枠の支持部上方の上壁に係合可能となり、梯子本体の倒伏状態を確実に保持することが可能となる。
【０００９】
また、本発明に係る転落防止用梯子は、受枠内周に起伏可能に装着されると共に倒伏させた状態で、その先端が対向する支持部に支持される転落防止用梯子において、前記受枠内周に装着される基部に水平に突出させた水平部を形成し、梯子本体の基端側には、付勢部材によって常時基部を押圧するロック部材を設け、梯子本体を倒伏させた状態で、前記ロック部材が水平部に係合し、梯子本体の倒伏状態を保持可能とした構成としている。
【００１０】
以上の構成において、梯子本体の基端側に設けたロック部材が常時基部を押圧していることから、ロック部材を解除方向に把持したまま梯子本体を倒伏させ、ロック部材を放すことにより、基部に形成した水平部にロック部材が係合して梯子本体を確実に保持することが可能となる。
【００１１】
【発明の実施の形態】
また、本発明に係る転落防止用梯子は、前記基部に上方に立ち上がる垂直部を形成し、梯子本体を起立させた状態で、前記ロック部材が垂直部に係合し、梯子本体の起立状態を保持可能としている。
【００１２】
以上の構成においては、梯子本体の基端側に設けたロック部材が常時基部を押圧していることから、ロック部材を解除方向に把持したまま梯子本体を起立させ、適宜位置でロック部材を放すことにより前記基部に形成した垂直部にロック部材が係合して梯子本体を起立状態に保持することができる。
【００１３】
さらに、本発明に係る転落防止用梯子は、前記ロック部材は、垂直部または水平部を収納可能とする空間部を有する構成としている。
【００１４】
以上の構成においては、基部に形成される垂直部または水平部をほぼ収容することが可能な空間部を有するロック部材であることから、垂直部または水平部を収納した状態で係合することにより、梯子本体ががたつくのを防止するとともに、確実に梯子本体を起立状態または水平状態に保持することができる。
【００１５】
また、本発明に係る転落防止用梯子を備えた地下構造物用蓋の受枠は、受枠の内周面に形成した取付部に、前記したいずれかの転落防止用梯子を装着した構成としている。
【００１６】
以上の構成においては、梯子本体を起立または倒伏状態に確実に保持することができるために、起立状態では作業者が安心してマンホール内を昇降することができ、倒伏状態ではマンホール内で発生した揚圧によっても浮上しないため、万が一マンホール蓋が浮上したとしても通行者等がマンホール内に落ち込むのを防止することができる。
【００１７】
【実施例】
以下、本発明の実施例を図面を参酌しながら説明し、本発明の理解に供する。
【００１８】
図１は、第一の発明に係る転落防止用梯子（以下単に「梯子」という）とこれを備えた地下構造物用蓋の受枠を示す平面図、図２は受枠に設けられる支持部および外壁の状態を示す一部切欠断面説明図、図３は第一の発明に係る梯子の一実施例を示す平面説明図、図４は図３における側面図である。
【００１９】
図１において地下構造物用蓋１は、受枠２とこの受枠２に装着される蓋本体（図示せず）とにより構成された平面視円形状をなし、前記蓋本体が地表面と面一をなすように設置される。そして、前記蓋本体は、開蓋時には受枠２の上方に引き上げられ、蝶番機構を介して水平旋回、または垂直反転によって開蓋される。受枠２の内周面２ａには、手握部３が周方向に沿って張り出して形成されており、この手握部３の左右両端部に上下方向に貫通する取付部４を形成しており、さらに図２に示すように、この取付部４に対向する側の受枠２の内周面２ａには突起部５を形成した支持部６および支持部６の上方に上壁７を形成している。
梯子８は、その基端側に設けた基部９により受枠２に形成される取付部４に取付けられる。この梯子８を受枠２に装着した状態で蓋本体を受枠２に嵌合可能としている。
【００２０】
梯子８は図３および図４に示すように、左右の基部９と、この左右の基部９間にその左右端が基部９に貫通した状態で固定される基端軸１０と、この基端軸１０に回動可能かつ摺動可能に連接した梯子本体１１とから構成している。
基部９は、図５に示すように水平板１２と垂直板１３とからなる略Ｌ字形状で、そのコーナー部分には溝部１４を形成し、この溝部１４内に切欠穴１５を形成している。
水平板１２には前記取付部４にボルト・ナットで固定するための開口穴１６を形成し、溝部１４内で起立させた梯子本体１１の基端を支持して下降するのを防止している。
また、垂直板１３には前記基端軸１０を挿通させる挿通穴１８を形成し、上方に向けて垂直部１９を立ち上げている。この垂直部１９の上端は曲線形状に形成している。
【００２１】
梯子本体１１は、左右の側杆２０、２０と、これらの側杆２０、２０を連結する３本の横桟２１および外方向へ張り出した張出部２２と、左右の側杆２０、２０の基端側に、その側杆２０に沿って摺動可能としたロック部材２３とから構成される。また、これらの側杆２０、２０の基端には前記基端軸１０に回動かつ摺動可能とするための長穴２４と、梯子本体１１を起立させたときに前記切欠穴１５の縁に当接するストッパー２５を形成し、先端には倒伏状態で支持部６の突起部５に係合する凹部２６を形成している。
【００２２】
さて、ロック部材２３は、コイルバネ２７と、このコイルバネ２７によって常時基部９を押圧する摺動部２８とから構成される。この摺動部２８は図６に示すように、側杆２０を挿通させるとともに前記基部９の垂直部１９を収納可能とする空間部２９を有する筒部３０と、この筒部３０から延設させてコイルバネ２７内を挿通させるガイド３１から形成される。
このガイド３１は、その長手方向（摺動方向）に沿って摺動用長穴３２を開口しており、この摺動用長穴３２内に梯子本体１１の横桟２１を挿通し、摺動用長穴３２の長さ分だけ摺動部２８が摺動できる構成とする。また、左右のロック部材２３は同時に摺動できるようにガイド３１同士を連結棒３３によって連結している。
コイルバネ２７は、ガイド３１に挿通された状態でガイド３１の摺動用長穴３２に挿通する横桟２１と連結棒３３との間に、コイルバネ２７の付勢力に抗しながら圧縮した状態で装着している。従ってコイルバネ２７の付勢力によってロック部材２３の摺動部２８が基部９を押圧することになる。
【００２３】
次に梯子８の取付けについて説明する。図７に示すように基部９を前記取付部４の下面に位置させ、上下方向に貫通する取付部４と前記基部９の開口穴１６を合わせた状態でボルト・ナット１７によって締結固定する。また、基端軸１０は、図８に示すように、その両端にネジ部３４を形成し、この両端のネジ部３４を梯子本体１１の左右の側杆２０、２０に形成される長穴２４に遊挿した状態で、基部７の垂直板１３の挿通穴１８に挿通してナット３５によって固定する。従って梯子本体１１は左右の側杆２０、２０に形成される長穴２４によって回動、かつ前記長穴２４の長さ分だけ前後方向に摺動可能な構成となる。
【００２４】
次に、梯子８の使用方法について説明する。図９に示すように梯子８を転落防止用として使用する場合には、起立状態から梯子本体１１をコイルバネ２７の付勢力に抗しながら基部９側へ側杆２０に形成した長穴２４の長さ分だけ基端側へ押圧して摺動させることで梯子本体１１全体が基部９側へ移動し、その結果側杆２０の先端が基端側へ前記長穴２４の長さ分だけ移動することになる。従って受枠２の上壁７に当接することなく回動させ、外壁７の下方位置において梯子本体１１への押圧を開放することによって、コイルバネ２７によって連結棒３３を基部７側へ押す方向への付勢力が生じることにより、ロック部材２３の摺動部２８が基部９を押圧することで、側杆２０に形成される長穴２４の長さ分だけ先端側へ摺動した状態となる。
これにより梯子本体１１の側杆２０の先端に形成した凹部２６が受枠２の支持部６に形成した突起部５に係合しており、梯子本体１１の先端は外壁７の下方に位置している。このため、梯子本体１１が基端側にずれるのを防止できるとともに、揚圧による梯子本体１１の浮上を外壁７によって防止される。
【００２５】
したがって、一時的な降雨量の増大によってマンホール内に揚圧が発生し、万が一、受枠２に装着されている蓋本体に設けられている錠（ともに図示せず）が受枠２から外れて開蓋した場合でも、梯子８が倒伏状態を維持することができ、通行人等がマンホール内へ転落することを防止することができる。
【００２６】
一方、この状態から梯子本体１１を起立させる場合には、図１０に示すように、連結棒３３をコイルバネ２７の付勢力に抗して梯子本体１１の先端側に移動させてロック部材２３を先端側へ摺動させる。これによりロック部材２３による基部７への押圧を解除し、梯子本体１１の凹部２６と受枠２の支持部６に形成した突起部５との係合を解いて、梯子本体１１を長穴２４の長さ分だけ基端側へ摺動させることで梯子本体１１の先端が外壁７に当接することなく梯子本体１１を起立させることができる。この際に側杆２０に形成したストッパー２５が基部７の溝部１４内に形成した切欠穴１５の縁に係合するまで梯子本体を起立させると、ロック部材２３がコイルバネ２７の付勢力によって基部７に形成される垂直部１９の周縁を押圧しながら上方へ摺動し、さらにこの垂直部１９の上端は曲線形状に形成されているためにロック部材２３の筒部３０内に垂直部１９がスムーズに収納されることになり、梯子本体１１を起立状態に保持することができる。
【００２７】
したがって、作業者は梯子本体１１の凹部２６と受枠２の支持部６に形成した突起部５との係合を解いて梯子本体１１を起立させることにより、自動的にロック部材２３の筒部３０内に垂直部１９が収納され梯子本体１１を起立状態に保持することが可能となる。
【００２８】
次に第二の発明に係る梯子について説明する。なお、梯子８を取付部４を介して受枠２に取り付ける要領については、図１において前述したとおりであるので、ここでは説明を省略する。図１１および図１２に示すように、左右の基部９と、この左右の基部９間にその左右端が基部９に貫通した状態で固定される基端軸１０と、この基端軸１０に回動可能かつ摺動可能に連接した梯子本体１１とから構成している。
基部９は、図１３に示すように水平板１２と垂直板１３とからなる略Ｌ字形状で、そのコーナー部分には溝部１４を形成し、この溝部１４内に切欠穴１５を形成している。
さらに水平板１２には前記取付部４にボルト・ナットで固定するための開口穴１６を形成し、溝部１４内で起立させた梯子本体１１の基端を支持して下降するのを防止している。
また、垂直板１３には前記基端軸１０を挿通させる挿通穴１８を形成し、上方に向けて垂直部１９および倒伏状態の梯子本体１１の先端側に向けて水平部３６を突設形成している。この垂直部１９の上端および水平部３６の先端は曲線形状に形成している。
【００２９】
梯子本体１１は、左右の側杆２０、２０と、これらの側杆２０、２０を連結する３本の横桟２１および外方向へ張り出した張出部２２と、左右の側杆２０、２０の基端側に、その側杆２０に沿って摺動可能としたロック部材２３とから構成する。また、これらの側杆２０、２０の基端には前記基端軸１０に回動可能とするための回動穴３７と、梯子本体１１を起立させたときに前記切欠穴１５の縁に当接するストッパー２５を形成し、先端には倒伏状態で支持部６の突起部５に係合する凹部２６を形成している。
【００３０】
ロック部材２２は、コイルバネ２７と、このコイルバネ２７によって常時基部９を押圧する摺動部２８とから構成される。この摺動部２８は図６に示すように、側杆２０を挿通させるとともに前記基部９の垂直部１９または水平部３６を収納可能とする空間部２９を有する筒部３０と、この筒部３０から延設させてコイルバネ２７内を挿通させるガイド３１から形成される。
このガイド３１は、その長手方向（摺動方向）に沿って摺動用長穴３２を開口しており、この摺動用長穴３２内に梯子本体１１の横桟２１を挿通し、摺動用長穴３２の長さ分だけ摺動部２８が摺動できる構成とする。また、左右のロック部材２３は同時に摺動できるようにガイド３１同士を連結棒３３によって連結している。
コイルバネ２７は、ガイド３１に挿通された状態でガイド３１の摺動用長穴３２に挿通する横桟２１と連結棒３３との間に、コイルバネ２７の付勢力に抗しながら圧縮した状態で装着している。従ってコイルバネ２７の付勢力によってロック部材２３の筒部３０が垂直部１９または水平部３６のいずれかを収納した状態で基部９を押圧することになる。
【００３１】
次に梯子８の取付けについて説明する。図７に示すように基部９を前記取付部４の下面に位置させ、上下方向に貫通する取付部４と前記基部９の開口穴１６を合わせた状態でボルト・ナット１７によって締結固定する。また、基端軸１０は、図８に示すように、その両端にネジ部３４を形成し、この両端のネジ部３４を梯子本体１１の左右の側杆２０、２０に形成される回動穴３７に遊挿した状態で、基部７の垂直板１３の挿通穴１８に挿通してナット３５によって固定する。従って梯子本体１１は左右の側杆２０、２０に形成される回動穴３７によって回動可能な構成となる。
【００３２】
さらにロック部材２３は、筒部３０内に側杆２０を挿通させ、また垂直部１９または水平部３６のいずれかを収納した状態で、これらのロック部材２３同士を連結棒３３によって連結する。次にガイド３１にコイルバネ２７を外挿し、ガイド３１の摺動用長穴３２に横桟２１を挿通して、横桟２１と連結棒３３との間に、コイルバネ２７の付勢力に抗しながら圧縮した状態で装着する。
【００３３】
次に、梯子８の使用方法について説明する。図１４に示すように梯子８を転落防止用として使用する場合には、梯子本体１１を倒伏方向へ回動させることにより、コイルバネ２７の付勢力に抗しながら基部９の水平部３６の上縁を筒部３０の基端が摺動し、水平部３６が筒部３０内に収納されるとともに、梯子本体１１の側杆２０の先端に形成した凹部２６が受枠２の支持部６に形成した突起部５に係合し、梯子本体１１の倒伏状態が保持される。これにより第一の発明により前述した、取付部４に対向する側の受枠２の突起部５の上方に形成する上壁７は不要となる。
【００３４】
一方、この状態から梯子本体１１を起立させる場合には、図１５に示すように、連結棒３３をコイルバネ２７の付勢力に抗して梯子本体１１の先端側に移動させてロック部材２３を先端側へ摺動させる。これによりロック部材２３の筒部３０は水平部３６より開放され、その状態で梯子本体１１を、側杆２０に形成したストッパー２５が基部９の溝部１４内に形成した切欠穴１５の縁に係合するまで梯子本体を起立させると、ロック部材２３がコイルバネ２７の付勢力によって基部７に形成される垂直部１９の周縁を押圧しながら上方へ摺動し、さらにこの垂直部１９の上端は曲線形状に形成されているためにロック部材２３の筒部３０内に垂直部１９がスムーズに収納されることになり、梯子本体１１を起立状態に保持することができる。
【００３５】
したがって、作業者は梯子本体１１のロック部材２３と基部９の垂直部１９または水平部３６との係合を解いて梯子本体１１を起立または倒伏させることにより、自動的にロック部材２３の筒部３０内に垂直部１９または水平部３６が収納され梯子本体１１を起立または倒伏状態に保持することが可能となる。
【００３６】
以上、２つの実施例に基づいて本発明を説明したが、本発明は実施例に限定されるものではない。例えば、第２の実施例では、第１の実施例で前述した長穴を梯子本体が回動するのみの回動穴としているが、第１の実施例で前述した長穴とし、倒伏時に際して水平部との係合と、突起部の上方に形成する上壁との２重保持機構としてもよい。
また、支持部の突起部の両側に壁を形成することで、倒伏状態の梯子本体が横ずれをするのを防止することができる。
また、基部は、手握部の取付部に取付けたが、受枠内周に張り出された部分であればどこに取付けてもよい。
【００３７】
【発明の効果】
本発明の第一の発明に係る転落防止用梯子によれば、梯子本体の基端側にロック部材を設け、このロック部材をコイルバネの付勢力によって常時基部を押圧するのに抗して梯子本体が先端側へ摺動し、受枠の支持部により支持される梯子本体の先端が支持部上方の上壁に係合可能となるように保持することができ、一時的な降雨量の増大等によりマンホール内部で揚圧が発生して蓋本体が開蓋したような場合でも転落防止用梯子は倒伏状態に維持されるため、通行者等がマンホール内に転落することを確実に防止することができる。
【００３８】
また、基部に対して上方に立ち上がる垂直部を形成することにより、ロック部材を解除方向に把持したまま梯子本体を起立させ、適宜位置でロック部材を放すと、基部に形成した垂直部にロック部材が係合して梯子本体を起立状態に保持することが可能となる。
【００３９】
また、ロック部材に垂直部を収納する空間部を有する筒部を設けることによって、梯子本体を起立状態とする場合に、筒部内に垂直部を収納することで梯子本体ががたつくのを防止するとともに確実な保持が可能となる。
【００４０】
本発明の第二の発明に係る転落防止用梯子によれば、基部に水平に突出させた水平部を形成することにより、梯子本体の基端側に設けたロック部材をコイルバネの付勢力によって常時基部を押圧するのに抗して、ロック部材を解除方向に把持したまま梯子本体を倒伏させ、適宜位置でロック部材を放すと、基部に形成した水平部にロック部材が係合して梯子本体を倒伏状態に保持することが可能となる。
【００４１】
また、基部に対して上方に立ち上がる垂直部および水平に突出させた水平部を形成することにより、ロック部材を解除方向に把持したまま梯子本体を起立または倒伏させ、適宜位置でロック部材を放すと、基部に形成した垂直部または水平部にロック部材が係合して梯子本体を起立状態または倒伏状態に保持することが可能となる。
【００４２】
また、ロック部材に垂直部を収納する空間部を有する筒部を設けることによって、梯子本体を起立状態または倒伏状態とする場合に、筒部内に垂直部または水平部を収納することで梯子本体ががたつくのを防止するとともに確実な起立または倒伏状態の保持が可能となる。
また、受枠に転落防止用梯子を備えたことにより、梯子本体を起立させることによって、作業者が安心してマンホール内を昇降することができる。
【図面の簡単な説明】
【図１】本発明の第一の発明に係る転落防止用梯子とこれを備えた地下構造物用蓋の受枠を示す平面図である。
【図２】受枠に設けられる支持部および外壁の状態を示す一部切欠断面説明図である。
【図３】本発明の第一の発明に係る梯子の一実施例を示す平面説明図である。
【図４】図３における側面説明図である。
【図５】本発明の第一の発明に係る梯子の基部を示す斜視図である。
【図６】本発明の第一の発明に係る梯子のロック部材の摺動部を示す斜視図である。
【図７】本発明の受枠の取付部に基部を装着する一例を示す一部断面切欠説明図である。
【図８】本発明の第一の発明に係る梯子の基端軸と基部と梯子本体の長穴との連接状態を示す部分説明図である。
【図９】本発明の第一の発明に係る梯子を倒伏状態とする場合の作用説明図である。
【図１０】本発明の第一の発明に係る梯子を起立状態とする場合の作用説明図である。
【図１１】本発明の第二の発明に係る梯子の一実施例を示す平面説明図である。
【図１２】図１１における側面説明図である。
【図１３】本発明の第二の発明に係る梯子の基部を示す斜視図である。
【図１４】本発明の第二の発明に係る梯子を倒伏状態とする場合の作用説明図である。
【図１５】本発明の第二の発明に係る梯子を起立状態とする場合の作用説明図である。
【図１６】従来の地下構造物用蓋の梯子の一例を示す説明図である。
【符号の説明】
１        地下構造物用蓋
２        受枠
３        手握部
４        取付部
５        突起部
６        支持部
７        上壁
８        梯子
９        基部
１０      基端軸
１１      梯子本体
１２      水平板
１３      垂直板
１４      溝部
１５      切欠穴
１６      開口穴
１８      挿通穴
１９      垂直部
２０      側杆
２１      横桟
２２      張出部
２３      ロック部材
２４      長穴
２５      ストッパー
２６      凹部
２７      コイルバネ
２８      摺動部
２９      空間部
３０      筒部
３１      ガイド
３２      摺動用長穴
３３      連結棒
３４      ネジ部
３５      ナット
３６      水平部
３７      回動穴
【図１】
2004293185.tif 000003
【図２】
2004293185.tif 000004
【図３】
2004293185.tif 000005
【図４】
2004293185.tif 000006
【図５】
2004293185.tif 000007
【図６】
2004293185.tif 000008
【図７】
2004293185.tif 000009
【図８】
2004293185.tif 000010
【図９】
2004293185.tif 000011
【図１０】
2004293185.tif 000012
【図１１】
2004293185.tif 000013
【図１２】
2004293185.tif 000014
【図１３】
2004293185.tif 000015
【図１４】
2004293185.tif 000016
【図１５】
2004293185.tif 000017
【図１６】
2004293185.tif 000018